(57)【要約】  本発明は端末のコンテキストを解放する通知方法、ネットワークノード及びコンピュータ記憶媒体を開示する。方法は、端末が第２ネットワークノードへのアクセスから第１ネットワークノードへのアクセスに切り替わり、又は、前記端末が第２通信システムへのアクセスから第１通信システムへのアクセスに切り替わる場合、前記第１ネットワークノードが第１通知を前記第２ネットワークノード、又は、第２通信システムに送信することを含み、前記第１通知は少なくとも、前記端末のコンテキストの解放を前記第２通信システム、又は、第２ネットワークノードに通知することに用いられ、前記端末が前記第２通信システム、又は、第２ネットワークノードにアクセスする場合、前記第２通信システム又は第２ネットワークノードに前記端末のコンテキストを保存する。
2021514553.tif 000002
【特許請求の範囲】
【請求項１】
端末のコンテキストを解放する通知方法であって、第１ネットワークノードに適用され、前記方法は、
端末が第２ネットワークノードへのアクセスから第１ネットワークノードへのアクセスに切り替わり、又は、前記端末が第２通信システムへのアクセスから第１通信システムへのアクセスに切り替わる場合、前記第１ネットワークノードが第１通知を前記第２ネットワークノード、又は、第２通信システムに送信することを含み、
前記第１通知は少なくとも、前記端末のコンテキストの解放を前記第２通信システム、又は、第２ネットワークノードに通知することに用いられ、前記端末が前記第２通信システム又は第２ネットワークノードにアクセスする場合、前記第２通信システム、又は、第２ネットワークノードに前記端末のコンテキストを保存する、端末のコンテキストを解放する通知方法。
【請求項２】
前記端末が第２ネットワークノードへのアクセスから第１ネットワークノードへのアクセスに切り替わり、又は、前記端末が第２通信システムへのアクセスから第１通信システムへのアクセスに切り替わる場合、前記方法は更に、
前記端末から報告された、前記第２通信システム又は第２ネットワークノードの識別情報を取得することを含む請求項１に記載の方法。
【請求項３】
前記端末が第２ネットワークノードへのアクセスから第１ネットワークノードへのアクセスに切り替わり、又は、前記端末が第２通信システムへのアクセスから第１通信システムへのアクセスに切り替わる場合、前記方法は更に、
前記端末から送信された、第１通知を前記第２通信システム又は第２ネットワークノードに送信することを指示するための第２通知を取得することを含む請求項２に記載の方法。
【請求項４】
前記第１通知は前記端末の識別情報を更に含む請求項１に記載の方法。
【請求項５】
前記第２通知は、前記第２通信システム又は第２通信システムにおける第２ネットワークノードが前記第１通知を送信することをトリガーする理由を表すための理由値を更に含む請求項３に記載の方法。
【請求項６】
前記第１通知を前記第２ネットワークノード又は第２通信システムに送信することは、
前記第２通信システムとのインターフェースによって、第１通知を前記第２通信システムに送信すること、
又は、
前記第２通信システムのネットワークノードとのインターフェースによって、第１通知を前記第２通信システムに送信すること、
又は、
前記第２ネットワークノードとのインターフェースによって、第１通知を前記第２ネットワークノードに送信すること、
又は、
第三者ノードによって、第１通知を前記第２通信システム又は第２ネットワークノードに送信することを含む請求項３に記載の方法。
【請求項７】
前記第１通信システムと前記第２通信システムは、異なる通信規格をサポートし、及び／又は、少なくとも一部の異なるサービスタイプをサポートする請求項１に記載の方法。
【請求項８】
前記第１ネットワークノードは前記第１通信システムにおけるコアネットワーク又はアクセスネットワークのネットワークノードであり、
前記第２ネットワークノードは前記第２通信システムにおけるコアネットワーク又はアクセスネットワークのネットワークノードである請求項１に記載の方法。
【請求項９】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである請求項６に記載の方法。
【請求項１０】
端末のコンテキストを解放する通知方法であって、第２ネットワークノードに適用され、前記方法は、
端末が第２通信システムへのアクセスから第１通信システムへのアクセスに切り替わり、又は、前記端末が第２ネットワークノードへのアクセスから第１ネットワークノードへのアクセスに切り替わる場合、前記第２ネットワークノードが前記第１通信システム又は第１ネットワークノードから送信された第１通知を受信することを含み、
前記第１通知は少なくとも、前記端末のコンテキストの解放を通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する、端末のコンテキストを解放する通知方法。
【請求項１１】
前記第１通信システム又は第１ネットワークノードから送信された第１通知を受信することは、
前記第１通信システムとのインターフェースによって、第１通知を受信すること、
又は、
前記第１ネットワークノードに接続されるインターフェースによって、第１通知を受信すること、
又は、
第三者ノードによって、第１通知を受信することを含む請求項１０に記載の方法。
【請求項１２】
前記第１通信システムと前記第２通信システムは、異なる通信規格をサポートし、及び／又は、少なくとも一部の異なるサービスタイプをサポートする請求項１０に記載の方法。
【請求項１３】
前記第１ネットワークノードは前記第１通信システムにおけるコアネットワーク又はアクセスネットワークのネットワークノードであり、
前記第２ネットワークノードは前記第２通信システムにおけるコアネットワーク又はアクセスネットワークのネットワークノードである請求項１０に記載の方法。
【請求項１４】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである請求項１１に記載の方法。
【請求項１５】
前記第２通信システムの第２ネットワークノードが前記第１通信システムにおける第１ネットワークノードから送信された第１通知を受信した後、前記方法は更に、
前記第２ネットワークノードが、前記端末の接続又は前記端末のコンテキストを保存する第３ネットワークノードに、前記端末の接続又は前記端末のコンテキストの解放を通知することを含む請求項１０に記載の方法。
【請求項１６】
第１ネットワークノードであって、
端末が第２ネットワークノードへのアクセスから第１ネットワークノードへのアクセスに切り替わり、又は、前記端末が第２通信システムへのアクセスから第１通信システムへのアクセスに切り替わる場合、第１通知を前記第２ネットワークノード又は第２通信システムに送信するように第１通信ユニットを制御する第１処理ユニットと、
第１通知を前記第２ネットワークノード又は第２通信システムに送信する前記第１通信ユニットと、を備え、
前記第１通知は少なくとも、前記端末のコンテキストの解放を前記第２通信システム、又は、第２ネットワークノードに通知することに用いられ、前記端末が前記第２通信システム又は第２ネットワークノードにアクセスする場合、前記第２通信システム又は第２ネットワークノードに前記端末のコンテキストを保存する、第１ネットワークノード。
【請求項１７】
前記第１処理ユニットは、端末が第２ネットワークノードへのアクセスから第１ネットワークノードへのアクセスに切り替わり、又は、前記端末が第２通信システムへのアクセスから第１通信システムへのアクセスに切り替わる場合、第１通信ユニットによって、前記端末から報告された前記第２通信システム又は第２ネットワークノードの識別情報を取得する請求項１６に記載の第１ネットワークノード。
【請求項１８】
前記第１処理ユニットは、端末が第２ネットワークノードへのアクセスから第１ネットワークノードへのアクセスに切り替わり、又は、前記端末が第２通信システムへのアクセスから第１通信システムへのアクセスに切り替わる場合、第１通信ユニットによって、前記端末から送信された、第１通知を前記第２通信システム又は第２ネットワークノードに送信することを指示するための第２通知を取得する請求項１７に記載の第１ネットワークノード。
【請求項１９】
前記第１通知は前記端末の識別情報を更に含む請求項１６に記載の第１ネットワークノード。
【請求項２０】
前記第２通知は、前記第２通信システム又は第２通信システムにおける第２ネットワークノードが前記第１通知を送信することをトリガーする理由を表すための理由値を更に含む請求項１８に記載の第１ネットワークノード。
【請求項２１】
前記第１通信ユニットは前記第２通信システムとのインターフェースによって、第１通知を前記第２通信システムに送信し、
又は、
前記第２通信システムのネットワークノードとのインターフェースによって、第１通知を前記第２通信システムに送信し、
又は、
前記第２ネットワークノードとのインターフェースによって、第１通知を前記第２ネットワークノードに送信し、
又は、
第三者ノードによって、第１通知を前記第２通信システム又は第２ネットワークノードに送信する請求項１８に記載の第１ネットワークノード。
【請求項２２】
前記第１通信システムと前記第２通信システムは、異なる通信規格をサポートし、及び／又は、少なくとも一部の異なるサービスタイプをサポートする請求項１６に記載の第１ネットワークノード。
【請求項２３】
前記第１ネットワークノードは前記第１通信システムにおけるコアネットワーク又はアクセスネットワークのネットワークノードであり、
前記第２ネットワークノードは前記第２通信システムにおけるコアネットワーク又はアクセスネットワークのネットワークノードである請求項１６に記載の第１ネットワークノード。
【請求項２４】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである請求項２１に記載の第１ネットワークノード。
【請求項２５】
第２ネットワークノードであって、
端末が第２通信システムへのアクセスから第１通信システムへのアクセスに切り替わり、又は、前記端末が第２ネットワークノードへのアクセスから第１ネットワークノードへのアクセスに切り替わる場合、前記第１通信システム又は第１ネットワークノードから送信された第１通知を第２通信ユニットによって受信する第２処理ユニットと、
前記第１通信システム又は第１ネットワークノードから送信された第１通知を受信する前記第２通信ユニットと、を備え、
前記第１通知は少なくとも、前記端末のコンテキストの解放を通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する、第２ネットワークノード。
【請求項２６】
前記第２通信ユニットは前記第１通信システムとのインターフェースによって第１通知を受信し、
又は、
前記第１ネットワークノードに接続されるインターフェースによって、第１通知を受信し、
又は、
第三者ノードによって、第１通知を受信する請求項２５に記載の第２ネットワークノード。
【請求項２７】
前記第１通信システムと前記第２通信システムは、異なる通信規格をサポートし、及び／又は、少なくとも一部の異なるサービスタイプをサポートする請求項２５に記載の第２ネットワークノード。
【請求項２８】
前記第１ネットワークノードは前記第１通信システムにおけるコアネットワーク又はアクセスネットワークのネットワークノードであり、
前記第２ネットワークノードは前記第２通信システムにおけるコアネットワーク又はアクセスネットワークのネットワークノードである請求項２５に記載の第２ネットワークノード。
【請求項２９】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである請求項２６に記載の第２ネットワークノード。
【請求項３０】
前記第２通信ユニットは、前記端末の接続又は前記端末のコンテキストを保存する第３ネットワークノードに、前記端末の接続又は前記端末のコンテキストの解放を通知する請求項２５に記載の第２ネットワークノード。
【請求項３１】
ネットワークノードであって、プロセッサ、及びプロセッサに実行可能なコンピュータプログラムを記憶することに用いられるメモリを備え、
前記プロセッサは前記コンピュータプログラムを実行すると、請求項１〜１５のいずれか一項に記載の方法のステップを実行することに用いられるネットワークノード。
【請求項３２】
コンピュータ記憶媒体であって、コンピュータ実行可能命令が記憶され、前記コンピュータ実行可能命令が実行されると、請求項１〜１５のいずれか一項に記載の方法のステップを実現するコンピュータ記憶媒体。
【発明の詳細な説明】
【技術分野】
【０００１】
本発明は情報処理技術分野に関し、特に端末のコンテキストを解放する通知方法、ネットワークノード及びコンピュータ記憶媒体に関する。
【背景技術】
【０００２】
端末が第１通信システムとの接続を確立した後、何らかの理由で、例えば、いくつかのサービスが第１システムでサポートされないため、端末は第２通信システムにアクセスしてこのサービスを実行する可能性がある。いくつかの能力を有する端末は、同時に１つの通信システムで通信するしかできない。端末が第２通信システムにアクセスする場合、第１通信システムのネットワークノードは端末が第１通信システムにもはや存在しないことを知らないため、端末とネットワークとの端末に関する状態情報が非対称となる。
【発明の概要】
【発明が解決しようとする課題】
【０００３】
上記技術的課題を解決するために、本発明の実施例は端末のコンテキストを解放する通知方法、ネットワークノード及びコンピュータ記憶媒体を提供する。
【課題を解決するための手段】
【０００４】
本発明の実施例は端末のコンテキストを解放する通知方法を提供し、第１ネットワークノードに適用され、前記方法は、
端末が第２ネットワークノードへのアクセスから第１ネットワークノードへのアクセスに切り替わり、又は、前記端末が第２通信システムへのアクセスから第１通信システムへのアクセスに切り替わる場合、前記第１ネットワークノードが第１通知を前記第２ネットワークノード、又は、第２通信システムに送信することを含み、
前記第１通知は少なくとも、前記端末のコンテキストの解放を前記第２通信システム又は第２ネットワークノードに通知することに用いられ、前記端末が前記第２通信システム、又は、第２ネットワークノードにアクセスする場合、前記第２通信システム又は第２ネットワークノードに前記端末のコンテキストを保存する。
【０００５】
本発明の実施例は端末のコンテキストを解放する通知方法を提供し、第２ネットワークノードに適用され、前記方法は、
端末が第２通信システムへのアクセスから第１通信システムへのアクセスに切り替わり、又は、前記端末が第２ネットワークノードへのアクセスから第１ネットワークノードへのアクセスに切り替わる場合、前記第２ネットワークノードは前記第１通信システム、又は、第１ネットワークノードから送信された第１通知を受信することを含み、
前記第１通知は少なくとも、前記端末のコンテキストの解放を通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する。
【０００６】
本発明の実施例は第１ネットワークノードを提供し、
端末が第２ネットワークノードへのアクセスから第１ネットワークノードへのアクセスに切り替わり、又は、前記端末が第２通信システムへのアクセスから第１通信システムへのアクセスに切り替わる場合、第１通知を前記第２ネットワークノード又は第２通信システムに送信するように第１通信ユニットを制御する第１処理ユニットと、
第１通知を前記第２ネットワークノード又は第２通信システムに送信する前記第１通信ユニットと、を備え、
前記第１通知は少なくとも、前記端末のコンテキストの解放を前記第２通信システム又は第２ネットワークノードに通知することに用いられ、前記端末が前記第２通信システム又は第２ネットワークノードにアクセスする場合、前記第２通信システム又は第２ネットワークノードに前記端末のコンテキストを保存する。
【０００７】
本発明の実施例は第２ネットワークノードを提供し、
端末が第２通信システムへのアクセスから第１通信システムへのアクセスに切り替わり、又は、前記端末が第２ネットワークノードへのアクセスから第１ネットワークノードへのアクセスに切り替わる場合、前記第１通信システム又は第１ネットワークノードから送信された第１通知を第２通信ユニットによって受信する第２処理ユニットと、
前記第１通信システム又は第１ネットワークノードから送信された第１通知を受信する前記第２通信ユニットと、を備え、
前記第１通知は少なくとも、前記端末のコンテキストの解放を通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する。
【０００８】
本発明の実施例はネットワークノードを提供し、プロセッサ、及びプロセッサに実行可能なコンピュータプログラムを記憶することに用いられるメモリを備え、
前記プロセッサは前記コンピュータプログラムを実行すると、前記方法のステップを実行することに用いられる。
【０００９】
本発明の実施例はコンピュータ記憶媒体を提供し、前記コンピュータ記憶媒体にコンピュータ実行可能命令が記憶され、前記コンピュータ実行可能命令が実行されると、前記方法のステップを実現する。
【発明の効果】
【００１０】
本発明の実施例の技術案によれば、端末が１つのネットワークノード又は通信システムから他のネットワークノード又は通信システムに切り替わる場合、端末が最初にアクセスしたネットワークノード又は通信システムに第１通知を送信し、それによって最初にアクセスしたネットワークノード又は通信システムが接続を解放し又は端末のコンテキストを解放することができる。このようにして、端末が他のシステムにアクセスしたにもかかわらず、元にアクセスしたネットワーク又はノードが端末のコンテキストを維持しているという課題を回避し、上記技術案を採用したネットワークノード又はシステムが端末の状態情報の対称効果を達成する。
【図面の簡単な説明】
【００１１】
【図１】図１は本発明の実施例に係る端末のコンテキストを解放する通知方法のフローチャート１である。
【図２】図２は本発明の実施例に係る端末のコンテキストを解放する通知方法のフローチャート２である。
【図３】図３は本発明の実施例に係る第１ネットワークノードの構成模式図である。
【図４】図４は本発明の実施例に係る第２ネットワークノードの構成模式図である。
【図５】図５は本発明の実施例のハードウェアアーキテクチャ模式図である。
【発明を実施するための形態】
【００１２】
本発明の実施例の特徴及び技術内容を更に詳しく理解するために、以下、図面を参照して本発明の実施例の実現を詳細に説明し、添付図面は単に参考説明用のものであり、本発明の実施例を限定しない。
【００１３】
実施例１
本発明の実施例は端末のコンテキストを解放する通知方法を提供し、第１ネットワークノードに適用され、前記方法は、端末が第２ネットワークノードへのアクセスから第１ネットワークノードへのアクセスに切り替わり、又は、前記端末が第２通信システムへのアクセスから第１通信システムへのアクセスに切り替わる場合、前記第１ネットワークノードが第１通知を前記第２通信ノード又は第２通信システムに送信することを含み、
前記第１通知は少なくとも、前記端末のコンテキストの解放を前記第２通信システム又は第２ネットワークノードに通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する。
【００１４】
また、第１ネットワークノードは第１通信システムに位置する。第２ネットワークノードは第１通信システムに位置してもよく、他の通信システムに位置してもよく、例えば、第２通信システムに位置してもよい。
【００１５】
具体的に、本発明の実施例は以下の２種の処理シーンを提供する。
【００１６】
シーン１
端末が第２ネットワークノードへのアクセスから第１ネットワークノードへのアクセスに切り替わる場合、前記第１ネットワークノードは第１通知を前記第２ネットワークノードに送信し、前記第１通知は少なくとも、前記端末のコンテキストの解放を第２ネットワークノードに通知することに用いられ、前記端末が前記第２ネットワークノードにアクセスする場合、第２ネットワークノードに前記端末のコンテキストを保存する。
【００１７】
端末が前記第２ネットワークノードにアクセスする場合、第２ネットワークノードとの接続を確立する。
【００１８】
端末がアクセスを切り替えるトリガー条件として、端末が現在サービスを提供している第２ネットワークノードがその要件を満足できないと判定するため、その使用要件を満足できる第１ネットワークノードに切り替わることが挙げられる。
【００１９】
なお、上記第１ネットワークノードと第２ネットワークノードはそれぞれ同じ通信システムに属してもよく、異なる通信システムに属してもよい。第１、第２ネットワークノードはコアネットワークのネットワークノード又はアクセスネットワークノード等でありうる。
【００２０】
更に、端末が第２ネットワークノードへのアクセスから第１ネットワークノードへのアクセスに切り替わる場合、前記端末から報告された前記第２ネットワークノードの識別情報を取得することを更に含んでもよい。
【００２１】
また、前記端末から送信された、第１通知を第２ネットワークノードに送信することを指示するための第２通知を取得することを更に含んでもよい。
【００２２】
前記第１通知は前記端末の識別情報を更に含む。前記端末の識別情報はＩＭＳＩ、ＩＭＥＩ等の情報を含んでもよく、端末を一意的に識別できればよい。
【００２３】
前記第２通知は、前記第２通信システム又は第２通信システムにおける第２ネットワークノードが前記第１通知を送信することをトリガーする理由を表すための理由値を更に含む。すなわち、第２通知メッセージに、端末の接続及びコンテキストを解放する理由が含まれ、例えば、端末が第２ネットワークノードから離れたことが挙げられる。
【００２４】
更に、第１通知を第２ネットワークノードに送信する方法は、
前記第２ネットワークノードとのインターフェースによって、第１通知を前記第２ネットワークノードに送信すること、
又は、
第三者ノードによって第１通知を第２ネットワークノードに送信することを含む。
【００２５】
前記第１ネットワークノードと第２ネットワークノードとの間のインターフェースは、物理インターフェースであってもよく、無線インターフェースであってもよく、ここでは限定しない。
【００２６】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである。
【００２７】
例えば、第三者ノードは第１、第２ネットワークノードと接続されるコアネットワークエレメント又はアクセスネットワークエレメント又は運用・保守ネットワークエレメントであってもよい。
【００２８】
該シーンは、図１に示すように、
端末が第２ネットワークノードへのアクセスから第１ネットワークノードへのアクセスに切り替わる場合、前記端末から報告された前記第２ネットワークノードの識別情報を取得し、及び前記端末から送信された、第１通知を第２ネットワークノードに送信することを指示するための第２通知を取得するステップ１０１と、
前記第１ネットワークノードが第１通知を前記第２ネットワークノードに送信するステップ１０２と、を含む。
【００２９】
シーン２
端末が第２通信システムへのアクセスから第１通信システムへのアクセスに切り替わる場合、前記第１ネットワークノードは第１通知を前記第２通信システムに送信し、前記第１通知は少なくとも、前記端末のコンテキストの解放を第２通信システムに通知することに用いられ、前記端末が前記第２通信システムにアクセスする場合、第２通信システムに前記端末のコンテキストを保存する。
【００３０】
端末が前記第２通信システムにアクセスする場合、第２通信システムにおけるネットワークノードとの接続を確立する。なお、該シーンでは、第２通信システムとの接続を確立する際に、第２通信システムにおける第２ネットワークノードとの接続を確立してもよく、第２通信システムにおける第２ネットワークノード以外のネットワークノードとの接続を確立してもよく、特に限定しない。
【００３１】
端末がアクセスする通信システムを切り替えるトリガー条件として、端末が現在サービスを提供している第２通信システムがその要件を満足できないと判定するため、その使用要件を満足できる第１通信システムに切り替わることが挙げられる。ここで、その要件を満足できることは、端末が特定のサービスにアクセスする必要があるが、従来の第２通信システム、例えば４Ｇは提供していないため、第１通信システム、例えばＬＴＥにアクセスすることであってもよい。理解できるように、以上は単にトリガーの一例であり、実際には他の方式を採用してもよいが、本実施例では逐一列挙しない。
【００３２】
なお、前記第１通信システムと前記第２通信システムは、異なる通信規格をサポートし、及び／又は、少なくとも一部の異なるサービスタイプをサポートする。具体的に、第１、第２通信システムは５Ｇシステム又は４Ｇシステム等の３ＧＰＰセルラーネットワークシステムであってもよく、ＷＬＡＮ等の非３ＧＰＰシステムであってもよく、第１、第２ネットワークノードはコアネットワークのネットワークノード又はアクセスネットワークノード等でありうる。
【００３３】
更に、端末が第２通信システムへのアクセスから第１通信システムへのアクセスに切り替わる場合、前記端末から報告された前記第２通信システムの識別情報を取得することを更に含んでもよい。
【００３４】
ここで、前記第２通信システムの識別情報を報告することは、第２通信システムの識別子を報告することであってもよく、前記端末との接続を確立した第２通信システムにおける第２ネットワークノードの識別情報を報告することであってもよい。最初にアクセスした第２通信システムを特徴付けることができればよい。
【００３５】
また、前記端末から送信された、第１通知を第２通信システムに送信することを指示するための第２通知を取得することを更に含んでもよい。
【００３６】
前記第１通知は前記端末の識別情報を更に含む。前記端末の識別情報はＩＭＳＩ、ＩＭＥＩ等の情報を含んでもよく、端末を一意的に識別できればよい。
【００３７】
前記第２通知は、前記第２通信システム又は第２通信システムにおける第２ネットワークノードが前記第１通知を送信することをトリガーする理由を表すための理由値を更に含む。すなわち、第２通知メッセージに、端末の接続及びコンテキストを解放する理由が含まれ、例えば、端末が第２ネットワークノードから離れたことが挙げられる。
【００３８】
更に、第１通知を第２通信システムに送信する方法は、
前記第２通信システムとのインターフェースによって、第１通知を前記第２通信システムに送信すること、
又は、
前記第２通信システムのネットワークノードとのインターフェースによって、第１通知を前記第２通信システムに送信し、第２通信システムのネットワークノードのインターフェースは第２通信システムがエッジデバイスのインターフェースによって取得した他の装置又は他のネットワークから送信された情報であってもよいこと、
又は、
第三者ノードによって第１通知を第２ネットワークノードに送信することを含んでもよい。
【００３９】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである。
【００４０】
例えば、第三者ノードは第１、第２ネットワークノードと接続されるコアネットワークエレメント又はアクセスネットワークエレメント又は運用・保守ネットワークエレメントであってもよい。
【００４１】
該シーンは、図２に示すように、
端末が第２通信システムへのアクセスから第１通信システムへのアクセスに切り替わる場合、前記端末から報告された前記第２通信システムの識別情報を取得し、及び前記端末から送信された、第１通知を第２通信システムに送信することを指示するための第２通知を取得するステップ２０１と、
前記第１ネットワークノードが第１通知を前記第２通信システムに送信するステップ２０２と、を含む。
【００４２】
以上から分かるように、上記技術案によれば、端末が１つのネットワークノード又は通信システムから他のネットワークノード又は通信システムに切り替わる場合、端末が最初にアクセスしたネットワークノード又は通信システムに第１通知を送信し、それによって最初にアクセスしたネットワークノード又は通信システムが接続を解放し又は端末のコンテキストを解放することができる。このようにして、端末が他のシステムにアクセスしたにもかかわらず、最初にアクセスしたネットワーク又はノードが端末のコンテキストを維持しているという課題を回避し、上記技術案を採用したネットワークノード又はシステムが端末の状態情報の対称効果を達成する。
【００４３】
実施例２
本発明の実施例は端末のコンテキストを解放する通知方法を提供し、第２ネットワークノードに適用され、前記方法は、端末が第２通信システムへのアクセスから第１通信システムへのアクセスに切り替わり、又は、前記端末が第２ネットワークノードへのアクセスから第１ネットワークノードへのアクセスに切り替わる場合、前記第２ネットワークノードが前記第１通信システム又は第１ネットワークノードから送信された第１通知を受信することを含み、
前記第１通知は少なくとも、前記端末のコンテキストの解放を通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する。
【００４４】
また、第１ネットワークノードは第１通信システムに位置する。第２ネットワークノードは第１通信システムに位置してもよく、他の通信システムに位置してもよく、例えば、第２通信システムに位置してもよい。
【００４５】
具体的に、端末が第２ネットワークノードへのアクセスから第１ネットワークノードへのアクセスに切り替わる場合、前記第１ネットワークノードは第１通知を前記第２ネットワークノードに送信し、前記第１通知は少なくとも、前記端末のコンテキストの解放を第２ネットワークノードに通知することに用いられ、前記端末が前記第２ネットワークノードにアクセスする場合、第２ネットワークノードに前記端末のコンテキストを保存する。
【００４６】
端末が前記第２ネットワークノードにアクセスする場合、第２ネットワークノードとの接続を確立する。
【００４７】
端末がアクセスを切り替えるトリガー条件として、端末が現在サービスを提供している第２ネットワークノードがその要件を満足できないと判定するため、その使用要件を満足できる第１ネットワークノードに切り替わることが挙げられる。
【００４８】
なお、上記第１ネットワークノードと第２ネットワークノードはそれぞれ同じ通信システムに属してもよく、異なる通信システムに属してもよい。
【００４９】
前記第１ネットワークノードは前記第１通信システムにおけるコアネットワーク又はアクセスネットワークのネットワークノードであり、
前記第２ネットワークノードは前記第２通信システムにおけるコアネットワーク又はアクセスネットワークのネットワークノードである。
【００５０】
本実施例では、第２ネットワークノードは第２通信システムに位置するノードであってもよく、勿論、第１通信ネットワークに位置するノードであってもよく、それに対応して、前記第１ネットワークノードは第１通信システム又は第２通信システムに位置してもよい。
【００５１】
前記第１通信システムと前記第２通信システムは、異なる通信規格をサポートし、及び／又は、少なくとも一部の異なるサービスタイプをサポートする。具体的に、第１、第２通信システムは５Ｇシステム又は４Ｇシステム等の３ＧＰＰセルラーネットワークシステムであってもよく、ＷＬＡＮ等の非３ＧＰＰシステムであってもよく、第１、第２ネットワークノードはコアネットワークのネットワークノード又はアクセスネットワークノード等でありうる。
【００５２】
更に、前記第１通信システム又は第１ネットワークノードから送信された第１通知を受信することは、
前記第１通信システムとのインターフェースによって、第１通知を受信すること、
又は、
前記第１ネットワークノードに接続されるインターフェースによって、第１通知を受信すること、
又は、
第三者ノードによって、第１通知を受信することを含む。
【００５３】
前記第１ネットワークノードと第２ネットワークノードとの間のインターフェースは、物理インターフェースであってもよく、無線インターフェースであってもよく、ここでは限定しない。
【００５４】
更に、前記第２通信システムの第２ネットワークノードが前記第１通信システムにおける第１ネットワークノードから送信された第１通知を受信した後、前記方法は、
前記第２ネットワークノードが、前記端末の接続又は前記端末のコンテキストを保存する第３ネットワークノードに、前記端末の接続又は前記端末のコンテキストの解放を通知することを更に含む。
【００５５】
すなわち、第３ネットワークノードに前記端末の接続又は端末のコンテキストが保存される場合、第２ネットワークノードは転送ノードとして、第１通知に基づいて、前記端末の接続又は端末のコンテキストを解放するように第３ネットワークノードを制御できる。
【００５６】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである。
【００５７】
例えば、第三者ノードは第１、第２ネットワークノードと接続されるコアネットワークエレメント又はアクセスネットワークエレメント又は運用・保守ネットワークエレメントである。
【００５８】
以上から分かるように、上記技術案によれば、端末が１つのネットワークノード又は通信システムから他のネットワークノード又は通信システムに切り替わる場合、端末が最初にアクセスしたネットワークノード又は通信システムに第１通知を送信し、それによって最初にアクセスしたネットワークノード又は通信システムが接続を解放し又は端末のコンテキストを解放することができる。このようにして、端末が他のシステムにアクセスしたにもかかわらず、最初にアクセスしたネットワーク又はノードが端末のコンテキストを維持しているという課題を回避し、上記技術案を採用したネットワークノード又はシステムが端末の状態情報の対称効果を達成する。
【００５９】
実施例３
本発明の実施例は第１ネットワークノードを提供し、図３に示すように、
端末が第２ネットワークノードへのアクセスから第１ネットワークノードへのアクセスに切り替わり、又は、前記端末が第２通信システムへのアクセスから第１通信システムへのアクセスに切り替わる場合、第１通知を前記第２ネットワークノード又は第２通信システムに送信するように第１通信ユニットを制御する第１処理ユニット３１と、
第１通知を前記第２ネットワークノード又は第２通信システムに送信する第１通信ユニット３２と、を備え、
前記第１通知は少なくとも、前記端末のコンテキストの解放を前記第２通信システム又は第２ネットワークノードに通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する。
【００６０】
また、第１ネットワークノードは第１通信システムに位置する。第２ネットワークノードは第１通信システムに位置してもよく、他の通信システムに位置してもよく、例えば、第２通信システムに位置してもよい。
【００６１】
具体的に、本発明の実施例は以下の２種の処理シーンを提供する。
【００６２】
シーン１
第１処理ユニット３１は、端末が第２ネットワークノードへのアクセスから第１ネットワークノードへのアクセスに切り替わる場合、第１通信ユニット３２によって第１通知を前記第２ネットワークノードに送信し、前記第１通知は少なくとも、前記端末のコンテキストの解放を第２ネットワークノードに通知することに用いられ、前記端末が前記第２ネットワークノードにアクセスする場合、第２ネットワークノードに前記端末のコンテキストを保存する。
【００６３】
端末が前記第２ネットワークノードにアクセスする場合、第２ネットワークノードとの接続を確立する。
【００６４】
端末がアクセスを切り替えるトリガー条件として、端末が現在サービスを提供している第２ネットワークノードがその要件を満足できないと判定するため、その使用要件を満足できる第１ネットワークノードに切り替わることが挙げられる。
【００６５】
なお、上記第１ネットワークノードと第２ネットワークノードはそれぞれ同じ通信システムに属してもよく、異なる通信システムに属してもよい。第１、第２ネットワークノードはコアネットワークのネットワークノード又はアクセスネットワークノード等でありうる。
【００６６】
更に、前記第１処理ユニットは、端末が第２ネットワークノードへのアクセスから第１ネットワークノードへのアクセスに切り替わり、又は、前記端末が第２通信システムへのアクセスから第１通信システムへのアクセスに切り替わる場合、第１通信ユニット３２は前記端末から報告された前記第２ネットワークノードの識別情報を取得する。
【００６７】
また、前記第１処理ユニットは、端末が第２ネットワークノードへのアクセスから第１ネットワークノードへのアクセスに切り替わり、又は、前記端末が第２通信システムへのアクセスから第１通信システムへのアクセスに切り替わる場合、第１通信ユニット３２は前記端末から送信された、第１通知を第２ネットワークノードに送信することを指示するための第２通知を取得する。
【００６８】
前記第１通知は前記端末の識別情報を更に含む。前記端末の識別情報はＩＭＳＩ、ＩＭＥＩ等の情報を含んでもよく、端末を一意的に識別できればよい。
【００６９】
前記第２通知は、前記第２通信システム又は第２通信システムにおける第２ネットワークノードが前記第１通知を送信することをトリガーする理由を表すための理由値を更に含む。すなわち、第２通知メッセージに、端末の接続及びコンテキストを解放する理由が含まれ、例えば、端末が第２ネットワークノードから離れたことが挙げられる。
【００７０】
更に、第１通信ユニット３２は、
前記第２ネットワークノードとのインターフェースによって、第１通知を前記第２ネットワークノードに送信し、
又は、
第三者ノードによって第１通知を第２ネットワークノードに送信する。
【００７１】
前記第１ネットワークノードと第２ネットワークノードとの間のインターフェースは、物理インターフェースであってもよく、無線インターフェースであってもよく、ここでは限定しない。
【００７２】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである。
【００７３】
例えば、第三者ノードは第１、第２ネットワークノードと接続されるコアネットワークエレメント又はアクセスネットワークエレメント又は運用・保守ネットワークエレメントである。
【００７４】
シーン２
前記第１処理ユニットは、端末が第２通信システムへのアクセスから第１通信システムへのアクセスに切り替わる場合、第１通信ユニットによって第１通知を前記第２通信システムに送信し、前記第１通知は少なくとも、前記端末のコンテキストの解放を第２通信システムに通知することに用いられ、前記端末が前記第２通信システムにアクセスする場合、第２通信システムに前記端末のコンテキストを保存する。
【００７５】
端末が前記第２通信システムにアクセスする場合、第２通信システムにおけるネットワークノードとの接続を確立する。なお、該シーンでは、第２通信システムとの接続を確立する際に、第２通信システムにおける第２ネットワークノードとの接続を確立してもよく、第２通信システムにおける第２ネットワークノード以外のネットワークノードとの接続を確立してもよく、特に限定しない。
【００７６】
端末がアクセスする通信システムを切り替えるトリガー条件として、端末が現在サービスを提供している第２通信システムがその要件を満足できないと判定するため、その使用要件を満足できる第１通信システムに切り替わることが挙げられる。ここで、その要件を満足できることは、端末が特定のサービスにアクセスする必要があるが、従来の第２通信システム、例えば４Ｇが提供していないため、第１通信システム、例えばＬＴＥにアクセスすることであってもよい。なお、以上は単にトリガーの一例であり、実際には他の方式を採用してもよいが、本実施例では逐一列挙しない。
【００７７】
なお、前記第１通信システムと前記第２通信システムは、異なる通信規格をサポートし、及び／又は、少なくとも一部の異なるサービスタイプをサポートする。具体的に、第１、第２通信システムは５Ｇシステム又は４Ｇシステム等の３ＧＰＰセルラーネットワークシステムであってもよく、ＷＬＡＮ等の非３ＧＰＰシステムであってもよく、第１、第２ネットワークノードはコアネットワークのネットワークノード又はアクセスネットワークノード等でありうる。
【００７８】
更に、前記第１処理ユニットは、端末が第２通信システムへのアクセスから第１通信システムへのアクセスに切り替わる場合、第１通信ユニットによって、前記端末から報告された前記第２通信システムの識別情報を取得する。
【００７９】
ここで、前記第２通信システムの識別情報を報告することは、第２通信システムの識別子を報告することであってもよく、前記端末との接続を確立した第２通信システムにおける第２ネットワークノードの識別情報を報告することであってもよい。最初にアクセスした第２通信システムを特徴付けることができればよい。
【００８０】
また、前記第１処理ユニットは、端末が第２ネットワークノードへのアクセスから第１ネットワークノードへのアクセスに切り替わり、又は、前記端末が第２通信システムへのアクセスから第１通信システムへのアクセスに切り替わる場合、第１通信ユニットによって、前記端末から送信された、第１通知を第２通信システムに送信することを指示するための第２通知を取得する。
【００８１】
前記第１通知は前記端末の識別情報を更に含む。前記端末の識別情報はＩＭＳＩ、ＩＭＥＩ等の情報を含んでもよく、端末を一意的に識別できればよい。
【００８２】
前記第２通知は、前記第２通信システム又は第２通信システムにおける第２ネットワークノードが前記第１通知を送信することをトリガーする理由を表すための理由値を更に含む。すなわち、第２通知メッセージに、端末の接続及びコンテキストを解放する理由が含まれ、例えば、端末が第２ネットワークノードから離れたことが挙げられる。
【００８３】
更に、第１通知を第２通信システムに送信する方法は、
前記第２通信システムとのインターフェースによって、第１通知を前記第２通信システムに送信すること、
又は、
前記第２通信システムのネットワークノードとのインターフェースによって、第１通知を前記第２通信システムに送信し、第２通信システムのネットワークノードのインターフェースは第２通信システムがエッジデバイスのインターフェースによって取得した他の装置又は他のネットワークから送信された情報であってもよいこと、
又は、
第三者ノードによって第１通知を第２ネットワークノードに送信することを含む。
【００８４】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである。
【００８５】
例えば、第三者ノードは第１、第２ネットワークノードと接続されるコアネットワークエレメント又はアクセスネットワークエレメント又は運用・保守ネットワークエレメントである。
【００８６】
以上から分かるように、上記技術案によれば、端末が１つのネットワークノード又は通信システムから他のネットワークノード又は通信システムに切り替わる場合、端末が最初にアクセスしたネットワークノード又は通信システムに第１通知を送信し、それによって最初にアクセスしたネットワークノード又は通信システムが接続を解放し又は端末のコンテキストを解放することができる。このようにして、端末が他のシステムにアクセスしたにもかかわらず、最初にアクセスしたネットワーク又はノードが端末のコンテキストを維持しているという課題を回避し、上記技術案を採用したネットワークノード又はシステムが端末の状態情報の対称効果を達成する。
【００８７】
実施例４
本発明の実施例は第２ネットワークノードを提供し、図４に示すように、
端末が第２通信システムへのアクセスから第１通信システムへのアクセスに切り替わり、又は、前記端末が第２ネットワークノードへのアクセスから第１ネットワークノードへのアクセスに切り替わる場合、前記第１通信システム又は第１ネットワークノードから送信された第１通知を第２通信ユニットによって受信する第２処理ユニット４１と、
前記第１通信システム又は第１ネットワークノードから送信された第１通知を受信する第２通信ユニット４２と、を備え、
前記第１通知は少なくとも、前記端末のコンテキストの解放を通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する。
【００８８】
また、第１ネットワークノードは第１通信システムに位置する。第２ネットワークノードは第１通信システムに位置してもよく、他の通信システムに位置してもよく、例えば、第２通信システムに位置してもよい。
【００８９】
端末がアクセスを切り替えるトリガー条件として、端末が現在サービスを提供している第２ネットワークノードがその要件を満足できないと判定するため、その使用要件を満足できる第１ネットワークノードに切り替わることが挙げられる。
【００９０】
なお、上記第１ネットワークノードと第２ネットワークノードはそれぞれ同じ通信システムに属してもよく、異なる通信システムに属してもよい。
【００９１】
前記第１ネットワークノードは前記第１通信システムにおけるコアネットワーク又はアクセスネットワークのネットワークノードであり、
前記第２ネットワークノードは前記第２通信システムにおけるコアネットワーク又はアクセスネットワークのネットワークノードである。
【００９２】
本実施例では、第２ネットワークノードは第２通信システムに位置するノードであってもよく、勿論、第１通信ネットワークに位置するノードであってもよく、それに対応して、前記第１ネットワークノードは第１通信システム又は第２通信システムに位置してもよい。
【００９３】
前記第１通信システムと前記第２通信システムは、異なる通信規格をサポートし、及び／又は、少なくとも一部の異なるサービスタイプをサポートする。具体的に、第１、第２通信システムは５Ｇシステム又は４Ｇシステム等の３ＧＰＰセルラーネットワークシステムであってもよく、ＷＬＡＮ等の非３ＧＰＰシステムであってもよく、第１、第２ネットワークノードはコアネットワークのネットワークノード又はアクセスネットワークノード等でありうる。
【００９４】
更に、前記第２通信ユニット４２は、前記第１通信システムとのインターフェースによって、第１通知を受信し、
又は、
前記第１ネットワークノードに接続されるインターフェースによって、第１通知を受信し、
又は、
第三者ノードによって、第１通知を受信する。
【００９５】
前記第１ネットワークノードと第２ネットワークノードとの間のインターフェースは、物理インターフェースであってもよく、無線インターフェースであってもよく、ここでは限定しない。
【００９６】
更に、前記第２通信システムの第２ネットワークノードが前記第１通信システムにおける第１ネットワークノードから送信された第１通知を受信した後、前記第２通信ユニット４２は、前記端末の接続又は前記端末のコンテキストを保存する第３ネットワークノードに、前記端末の接続又は前記端末のコンテキストの解放を通知する。
【００９７】
すなわち、第３ネットワークノードに前記端末の接続又は端末のコンテキストが保存される場合、第２ネットワークノードは転送ノードとして、第１通知に基づいて、前記端末の接続又は端末のコンテキストを解放するように第３ネットワークノードを制御できる。
【００９８】
前記第三者ノードは前記第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである。
【００９９】
例えば、第三者ノードは第１、第２ネットワークノードと接続されるコアネットワークエレメント又はアクセスネットワークエレメント又は運用・保守ネットワークエレメントである。
【０１００】
以上から分かるように、上記技術案によれば、端末が１つのネットワークノード又は通信システムから他のネットワークノード又は通信システムに切り替わる場合、端末が最初にアクセスしたネットワークノード又は通信システムに第１通知を送信し、それによって最初にアクセスしたネットワークノード又は通信システムが接続を解放し又は端末のコンテキストを解放することができる。このようにして、端末が他のシステムにアクセスしたにもかかわらず、最初にアクセスしたネットワーク又はノードが端末のコンテキストを維持しているという課題を回避し、上記技術案を採用したネットワークノード又はシステムが端末の状態情報の対称効果を達成する。
【０１０１】
本発明の実施例は第１ネットワークノード又は第２ネットワークノードのハードウェア構成アーキテクチャを更に提供し、図５に示すように、少なくとも１つのプロセッサ５１、メモリ５２、及び少なくとも１つのネットワークインターフェース５３を備える。各要素はバスシステム５４によって結合される。理解できるように、バスシステム５４はこれらの要素の間の接続通信を実現する。バスシステム５４はデータバスに加えて、電源バス、制御バス及び状態信号バスを更に含む。しかし、説明の明瞭さから、図５において各種のバスをバスシステム５４で示す。
【０１０２】
理解できるように、本発明の実施例におけるメモリ５２は揮発性メモリ又は不揮発性メモリであり、又は揮発性及び不揮発性メモリの両方を含む。
【０１０３】
いくつかの実施形態では、メモリ５２は、オペレーティングシステム５２１及びアプリケーションプログラム５２２のような実行可能モジュール又はデータ構造、又はそれらのサブセット、又はそれらの拡張セットを記憶する。
【０１０４】
前記プロセッサ５１は、上記実施例１又は２の方法のステップを処理できるように構成され、ここでは詳細説明を省略する。
【０１０５】
本発明の実施例はコンピュータ記憶媒体を提供し、前記コンピュータ記憶媒体にコンピュータ実行可能命令が記憶され、前記コンピュータ実行可能命令が実行されると、上記実施例１又は２の方法のステップを実施する。
【０１０６】
本発明の実施例に係る上記装置はソフトウェア機能モジュールの形態で実現され且つ独立した製品として販売又は使用される場合、１つのコンピュータ可読記憶媒体に記憶されてもよい。このような理解に基づいて、本発明の実施例の技術案は本質的に又は従来技術に貢献する部分はソフトウェア製品の形態で実施され得ており、該コンピュータソフトウェア製品は１つの記憶媒体に記憶され、１つのコンピュータ装置（パーソナルコンピュータ、サーバ、又はネットワーク装置等）に本発明の実施例の各々に係る方法の全部又は一部のステップを実行させるための複数の命令を含む。上記記憶媒体はＵディスク、モバイルディスク、読み出し専用メモリ（ＲＯＭ、Ｒｅａｄ  Ｏｎｌｙ  Ｍｅｍｏｒｙ）、磁気ディスク又は光ディスク等のプロクラムコードを記憶可能な種々の媒体を含む。このように、本発明の実施例は特定のハードウェアとソフトウェアとの組み合わせに限定されない。
【０１０７】
それに対応して、本発明の実施例はコンピュータ記憶媒体を更に提供し、コンピュータプログラムが記憶され、該コンピュータプログラムは本発明の実施例におけるデータスケジューリング方法を実行するように構成される。
【０１０８】
例示を目的に本発明の好適な実施例を開示したが、当業者であれば、種々の改良、追加や置換が可能であると理解でき、従って、本発明の範囲は上記実施例に限定されない。
【図１】
2021514553.tif 000003
【図２】
2021514553.tif 000004
【図３】
2021514553.tif 000005
【図４】
2021514553.tif 000006
【図５】
2021514553.tif 000007
【手続補正書】
【提出日】令和2年12月1日(2020.12.1)
【手続補正１】
【補正対象書類名】明細書
【補正対象項目名】００２３
【補正方法】変更
【補正の内容】
【００２３】
前記第２通知は、前記第２通信システム又は第２ネットワークノードに前記第１通知を送信することをトリガーする理由を表すための理由値を更に含む。すなわち、第２通知メッセージに、端末の接続及びコンテキストを解放する理由が含まれ、例えば、端末が第２ネットワークノードから離れたことが挙げられる。
【手続補正２】
【補正対象書類名】明細書
【補正対象項目名】００３４
【補正方法】変更
【補正の内容】
【００３４】
ここで、前記報告した第２通信システムの識別情報は、報告した第２通信システムの識別子であってもよく、報告した前記端末との接続を確立した第２通信システムにおける第２ネットワークノードの識別情報であってもよい。最初にアクセスした第２通信システムを特徴付けることができればよい。
【手続補正３】
【補正対象書類名】明細書
【補正対象項目名】００３７
【補正方法】変更
【補正の内容】
【００３７】
前記第２通知は、前記第２通信システム又は第２ネットワークノードに前記第１通知を送信することをトリガーする理由を表すための理由値を更に含む。すなわち、第２通知メッセージに、端末の接続及びコンテキストを解放する理由が含まれ、例えば、端末が第２ネットワークノードから離れたことが挙げられる。
【手続補正４】
【補正対象書類名】明細書
【補正対象項目名】００３８
【補正方法】変更
【補正の内容】
【００３８】
更に、第１通知を第２通信システムに送信する方法は、
前記第２通信システムとのインターフェースによって、第１通知を前記第２通信システムに送信すること、
又は、
前記第２通信システムのネットワークノードとのインターフェースによって、第１通知を前記第２通信システムに送信し、第２通信システムのネットワークノードのインターフェースはエッジデバイスのインターフェースであってもよく、第２通信システムが該エッジデバイスのインターフェースによって他の装置又は他のネットワークから送信された情報を取得すること、
又は、
第三者ノードによって第１通知を第２ネットワークノードに送信することを含んでもよい。
【手続補正５】
【補正対象書類名】明細書
【補正対象項目名】００６６
【補正方法】変更
【補正の内容】
【００６６】
更に、前記第１処理ユニットは、端末が第２ネットワークノードへのアクセスから第１ネットワークノードへのアクセスに切り替わり、又は、前記端末が第２通信システムへのアクセスから第１通信システムへのアクセスに切り替わる場合、第１通信ユニット３２によって、前記端末から報告された前記第２ネットワークノードの識別情報を取得する。
【手続補正６】
【補正対象書類名】明細書
【補正対象項目名】００６７
【補正方法】変更
【補正の内容】
【００６７】
また、前記第１処理ユニットは、端末が第２ネットワークノードへのアクセスから第１ネットワークノードへのアクセスに切り替わり、又は、前記端末が第２通信システムへのアクセスから第１通信システムへのアクセスに切り替わる場合、第１通信ユニット３２によって、前記端末から送信された、第１通知を第２ネットワークノードに送信することを指示するための第２通知を取得する。
【手続補正７】
【補正対象書類名】明細書
【補正対象項目名】００６９
【補正方法】変更
【補正の内容】
【００６９】
前記第２通知は、前記第２通信システム又は第２ネットワークノードに前記第１通知を送信することをトリガーする理由を表すための理由値を更に含む。すなわち、第２通知メッセージに、端末の接続及びコンテキストを解放する理由が含まれ、例えば、端末が第２ネットワークノードから離れたことが挙げられる。
【手続補正８】
【補正対象書類名】明細書
【補正対象項目名】００７９
【補正方法】変更
【補正の内容】
【００７９】
ここで、前記報告した第２通信システムの識別情報は、報告した第２通信システムの識別子であってもよく、報告した前記端末との接続を確立した第２通信システムにおける第２ネットワークノードの識別情報であってもよい。最初にアクセスした第２通信システムを特徴付けることができればよい。
【手続補正９】
【補正対象書類名】明細書
【補正対象項目名】００８２
【補正方法】変更
【補正の内容】
【００８２】
前記第２通知は、前記第２通信システム又は第２ネットワークノードに前記第１通知を送信することをトリガーする理由を表すための理由値を更に含む。すなわち、第２通知メッセージに、端末の接続及びコンテキストを解放する理由が含まれ、例えば、端末が第２ネットワークノードから離れたことが挙げられる。
【手続補正１０】
【補正対象書類名】明細書
【補正対象項目名】００８３
【補正方法】変更
【補正の内容】
【００８３】
更に、第１通知を第２通信システムに送信する方法は、
前記第２通信システムとのインターフェースによって、第１通知を前記第２通信システムに送信すること、
又は、
前記第２通信システムのネットワークノードとのインターフェースによって、第１通知を前記第２通信システムに送信し、第２通信システムのネットワークノードのインターフェースはエッジデバイスのインターフェースであってもよく、第２通信システムが該エッジデバイスのインターフェースによって他の装置又は他のネットワークから送信された情報を取得すること、
又は、
第三者ノードによって第１通知を第２ネットワークノードに送信することを含む。
【手続補正１１】
【補正対象書類名】明細書
【補正対象項目名】０１０１
【補正方法】変更
【補正の内容】
【０１０１】
本発明の実施例は第１ネットワークノード又は第２ネットワークノードのハードウェア構成アーキテクチャを更に提供し、図５に示すように、少なくとも１つのプロセッサ５１、メモリ５２、及び少なくとも１つのネットワークインターフェース５３を備える。各要素はバスシステム５５によって結合される。理解できるように、バスシステム５５はこれらの要素の間の接続通信を実現する。バスシステム５５はデータバスに加えて、電源バス、制御バス及び状態信号バスを更に含む。しかし、説明の明瞭さから、図５において各種のバスをバスシステム５５で示す。
【手続補正１２】
【補正対象書類名】特許請求の範囲
【補正対象項目名】全文
【補正方法】変更
【補正の内容】
【特許請求の範囲】
【請求項１】
端末のコンテキストを解放する通知方法であって、第１ネットワークノードに適用され、前記方法は、
端末が第２ネットワークノードへのアクセスから第１ネットワークノードへのアクセスに切り替わり、又は、前記端末が第２通信システムへのアクセスから第１通信システムへのアクセスに切り替わる場合、前記第１ネットワークノードが第１通知を前記第２ネットワークノード、又は、第２通信システムに送信することを含み、
前記第１通知は少なくとも、前記端末のコンテキストの解放を前記第２通信システム、又は、第２ネットワークノードに通知することに用いられ、前記端末が前記第２通信システム又は第２ネットワークノードにアクセスする場合、前記第２通信システム、又は、第２ネットワークノードに前記端末のコンテキストを保存する、端末のコンテキストを解放する通知方法。
【請求項２】
前記端末が第２ネットワークノードへのアクセスから第１ネットワークノードへのアクセスに切り替わり、又は、前記端末が第２通信システムへのアクセスから第１通信システムへのアクセスに切り替わる場合、前記方法は更に、
前記端末から報告された、前記第２通信システム又は第２ネットワークノードの識別情報を取得することを含む請求項１に記載の方法。
【請求項３】
前記端末が第２ネットワークノードへのアクセスから第１ネットワークノードへのアクセスに切り替わり、又は、前記端末が第２通信システムへのアクセスから第１通信システムへのアクセスに切り替わる場合、前記方法は更に、
前記端末から送信された、第１通知を前記第２通信システム又は第２ネットワークノードに送信することを指示するための第２通知を取得することを含む請求項２に記載の方法。
【請求項４】
前記第２通知は、前記第２通信システム又は第２ネットワークノードに前記第１通知を送信することをトリガーする理由を表すための理由値を更に含む請求項３に記載の方法。
【請求項５】
前記第１通知を前記第２ネットワークノード又は第２通信システムに送信することは、
前記第２通信システムとのインターフェースによって、第１通知を前記第２通信システムに送信すること、
又は、
前記第２通信システムのネットワークノードとのインターフェースによって、第１通知を前記第２通信システムに送信すること、
又は、
前記第２ネットワークノードとのインターフェースによって、第１通知を前記第２ネットワークノードに送信すること、
又は、
第三者ノードによって、第１通知を前記第２通信システム又は第２ネットワークノードに送信することを含む請求項３に記載の方法。
【請求項６】
前記第三者ノードは第１通信ネットワーク及び第２通信ネットワークの両方と接続されるネットワークエレメントであり、又は、
前記第三者ノードは前記第１ネットワークノード及び第２ネットワークノードの両方と接続されるネットワークエレメントである請求項５に記載の方法。
【請求項７】
端末のコンテキストを解放する通知方法であって、第２ネットワークノードに適用され、前記方法は、
端末が第２通信システムへのアクセスから第１通信システムへのアクセスに切り替わり、又は、前記端末が第２ネットワークノードへのアクセスから第１ネットワークノードへのアクセスに切り替わる場合、前記第２ネットワークノードが前記第１通信システム又は第１ネットワークノードから送信された第１通知を受信することを含み、
前記第１通知は少なくとも、前記端末のコンテキストの解放を通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する、端末のコンテキストを解放する通知方法。
【請求項８】
前記第１通信システム又は第１ネットワークノードから送信された第１通知を受信することは、
前記第１通信システムとのインターフェースによって、第１通知を受信すること、
又は、
前記第１ネットワークノードに接続されるインターフェースによって、第１通知を受信すること、
又は、
第三者ノードによって、第１通知を受信することを含む請求項７に記載の方法。
【請求項９】
第１ネットワークノードであって、
端末が第２ネットワークノードへのアクセスから第１ネットワークノードへのアクセスに切り替わり、又は、前記端末が第２通信システムへのアクセスから第１通信システムへのアクセスに切り替わる場合、第１通知を前記第２ネットワークノード又は第２通信システムに送信するように第１通信ユニットを制御するように構成される第１処理ユニットと、
第１通知を前記第２ネットワークノード又は第２通信システムに送信するように構成される前記第１通信ユニットと、を備え、
前記第１通知は少なくとも、前記端末のコンテキストの解放を前記第２通信システム、又は、第２ネットワークノードに通知することに用いられ、前記端末が前記第２通信システム又は第２ネットワークノードにアクセスする場合、前記第２通信システム又は第２ネットワークノードに前記端末のコンテキストを保存する、第１ネットワークノード。
【請求項１０】
前記第１処理ユニットは、端末が第２ネットワークノードへのアクセスから第１ネットワークノードへのアクセスに切り替わり、又は、前記端末が第２通信システムへのアクセスから第１通信システムへのアクセスに切り替わる場合、第１通信ユニットによって、前記端末から報告された前記第２通信システム又は第２ネットワークノードの識別情報を取得するように構成される請求項９に記載の第１ネットワークノード。
【請求項１１】
前記第１通知は前記端末の識別情報を更に含む請求項９に記載の第１ネットワークノード。
【請求項１２】
前記第１通信システムと前記第２通信システムは、異なる通信規格をサポートし、及び／又は、少なくとも一部の異なるサービスタイプをサポートする請求項９に記載の第１ネットワークノード。
【請求項１３】
前記第１ネットワークノードは前記第１通信システムにおけるコアネットワーク又はアクセスネットワークのネットワークノードであり、
前記第２ネットワークノードは前記第２通信システムにおけるコアネットワーク又はアクセスネットワークのネットワークノードである請求項９に記載の第１ネットワークノード。
【請求項１４】
第２ネットワークノードであって、
端末が第２通信システムへのアクセスから第１通信システムへのアクセスに切り替わり、又は、前記端末が第２ネットワークノードへのアクセスから第１ネットワークノードへのアクセスに切り替わる場合、前記第１通信システム又は第１ネットワークノードから送信された第１通知を第２通信ユニットによって受信するように構成される第２処理ユニットと、
前記第１通信システム又は第１ネットワークノードから送信された第１通知を受信するように構成される前記第２通信ユニットと、を備え、
前記第１通知は少なくとも、前記端末のコンテキストの解放を通知することに用いられ、
前記端末が前記第２通信システム又は第２ネットワークノードにアクセスする場合、前記第２通信システム又は第２ネットワークノードとの接続が存在し、且つ前記第２通信システム又は第２ネットワークノードに前記端末のコンテキストを保存する、第２ネットワークノード。
【請求項１５】
前記第２通信ユニットは、前記端末の接続又は前記端末のコンテキストを保存する第３ネットワークノードに、前記端末の接続又は前記端末のコンテキストの解放を通知するように構成される請求項１４に記載の第２ネットワークノード。
【国際調査報告】
2021514553.tif 000008
2021514553.tif 000009
2021514553.tif 000010
2021514553.tif 000011